(57)【要約】【課題】入力交流電源の電圧に応じて発光する発光手段を検査器の電源プラグに備えることにより、測定時に負荷を接続した状態での電源状態を即座に把握することができる電圧表示器を提供する。【解決手段】この電圧表示器１００は、交流電源端子との接続を行なう電源入力端子３と、電源入力端子３から入力した交流電流を抑制する抵抗器Ｒａと、抵抗器Ｒａを介して入力した交流電圧を全波整流するダイオードブリッジ（ＤＢ）と、ＤＢにより生成された直流電流を抑制する抵抗器Ｒｂと、ＤＢにより生成された直流電圧が所定の電圧値を超過したときに回路が通電状態となるツェナー回路群５と、直流電圧を電源としてツェナー回路群５が通電することにより発光するＬＥＤ群４と、電源入力端子３、ＤＢ、ツェナー回路群５及びＬＥＤ群４を保持する本体プラグ２と、電源ケーブル１とを備えて構成されている。【選択図】図２
2007109483.tif 000002
【特許請求の範囲】
【請求項１】
交流電源端子に接続されて交流電源のレベルを表示する電圧表示器であって、
前記交流電源端子と接続される電源入力端子と、該電源入力端子から入力した交流電圧を整流する整流手段と、該整流手段により生成された直流電圧が所定の電圧値を超過したときに通電状態となるツェナー回路と、前記直流電圧を電源として前記ツェナー回路が通電することにより発光する発光手段と、前記電源入力端子、整流手段、ツェナー回路及び発光手段を保持する本体プラグと、を備え、
前記ツェナー回路のツェナー電圧は、前記交流電圧のレベルに応じて前記発光手段を個別に点灯又は滅灯するように設定されていることを特徴とする電圧表示器。
【請求項２】
前記発光手段は発光ダイオードにより構成され、前記プラグ外面の視認可能な位置に配設されていることを特徴とする請求項１に記載の電圧表示器。
【請求項３】
交流電源端子に接続されて交流電源のレベルを表示する電圧表示器であって、
前記交流電源端子と接続される電源入力端子と、該電源入力端子から入力した交流電圧を整流する整流手段と、該整流手段により生成された直流電圧が所定の電圧値を超過したときに通電状態となるツェナー回路と、前記直流電圧を電源として前記ツェナー回路が通電することにより発光する発光手段と、前記交流電圧をそのまま出力するアウトレットと、前記電源入力端子、整流手段、ツェナー回路、発光手段及びアウトレットを保持する本体部と、を備え、
前記ツェナー回路のツェナー電圧は、前記交流電圧のレベルに応じて前記発光手段を個別に点灯又は滅灯するように設定されていることを特徴とする電圧表示器。
【請求項４】
交流電源端子に接続されて交流電源のレベルを表示する電圧表示器であって、
前記交流電源端子と接続される電源入力端子と、該電源入力端子から入力した交流電圧を整流する整流手段と、該整流手段により生成された直流電圧が所定の電圧値を超過したときに通電状態となるツェナー回路と、前記直流電圧を電源として前記ツェナー回路が通電することにより発光する発光手段と、前記電源入力端子、整流手段、ツェナー回路及び発光手段を保持する本体部と、を備え、
前記ツェナー回路のツェナー電圧は、前記交流電圧のレベルに応じて前記発光手段を個別に点灯又は滅灯するように設定されていることを特徴とする電圧表示器。
【請求項５】
交流電源端子に接続されて交流電源のレベルを表示する電圧表示器であって、
前記交流電源端子接続される電源入力端子と、該電源入力端子から入力した交流電圧を整流する整流手段と、該整流手段により生成された直流電圧が所定の電圧値を超過したときに通電状態となるツェナー回路と、前記直流電圧を電源として前記ツェナー回路が通電することにより発光する発光手段と、前記交流電圧をそのまま出力するアウトレットと、前記アウトレット回路の一部又は全部を断接するリレーと、前記電源入力端子、整流手段、ツェナー回路、発光手段、アウトレット及びリレーを保持する本体部と、を備え、
前記ツェナー回路のツェナー電圧は、前記入力交流電圧のレベルに応じて前記発光手段を個別に点灯又は滅灯するように設定されていると共に、前記所定の電圧値を大幅に超過する異常電圧が発生したときに前記リレーを動作させることを特徴とする電圧表示器。
【請求項６】
前記発光手段は発光ダイオードにより構成され、前記本体部の視認可能な位置に配設されていることを特徴とする請求項３、４又は５に記載の電圧表示器。
【請求項７】
前記発光手段の近傍に前記交流電圧の電圧値を表示する表示部を備えたことを特徴とする請求項１乃至６の何れか一項に記載の電圧表示器。
【請求項８】
前記発光手段の近傍に前記交流電圧の電圧レベルを表示する表示部を備えたことを特徴とする請求項１乃至６の何れか一項に記載の電圧表示器。
【請求項９】
前記発光手段が複数配設されている場合、発光する発光手段の電圧値若しくは電圧レベルを表示する低い発光手段は、前記発光する発光手段と併せて発光するように構成したことを特徴とする請求項１乃至８の何れか一項に記載の電圧表示器。
【発明の詳細な説明】
【技術分野】
【０００１】
本発明は、電圧表示器に関し、さらに詳しくは、交流電源の電圧値が規定の電圧値であるか否かを目視により確認可能な電圧表示器に関するものである。
【背景技術】
【０００２】
ビルや工場等の建設現場では、構造物の構築作業と電気関係の配線工事とが並行して行なわれる。配線工事においては、工事完了後の検査のみならず、工事中においても適宜電気的作動状態等の検査を行う必要がある。即ち、例えば、工事完了後に配線ミスや漏電、或いは耐圧不足等が発生すると、最悪の場合、構造物の工事完了部分を壊して配線をやり直さなければならないといった事態が発生し、工期の延長とそれに伴う工事費の増加をもたらす。このような事態を未然に防止するためには、検査器具による工事中の配線検査や竣工検査が必要不可欠となる。
ところで、工事現場ではモータや電動工具等が使われるため、そのための電源として仮設電源が用意されているが、仮設電源は正規の商用電源とは異なって、電源容量を十分確保しているとは限らず、しかも、１箇所から蛸足配線で延ばして使用する場合には更に使用条件が悪化する虞がある。その結果、検査器具の電源を仮設電源から供給した場合、電源電圧の変動により検査器具が誤動作して検査の信頼性が低くなるといった問題があり、仮設電源の電圧状態を簡易な方法で事前にチエックできればよいが、これまでそのような装置類は提案されていない。
なお従来技術として特許文献１には、電源ユニットと表示ユニットとを、直流出力側コネクタと表示ユニット側コネクタとで結合し、表示ユニットの直流バスラインと電源ユニットの直流出力バスラインとをワンタッチで接続できるようにし、表示ユニット側の直流バスラインには、出力電流検出用抵抗を設けるとともに、その直流出力端子に負荷を接続し、電源ユニットの出力電流、出力電圧等の出力状態を、直流バスラインを利用して検出表示する電源装置について開示されている。
また特許文献２には、活線中の電源プラグを誤って抜かれることを防止するために、プラグにＬＥＤを備え、ＬＥＤの点灯中はシステムが動作中であることを操作者に目視により知らせる技術について開示されている。
【特許文献１】特開２００４−１５９３９６公報
【特許文献２】特開平５−２９０９３２号公報
【発明の開示】
【発明が解決しようとする課題】
【０００３】
以上の通り、従来の仮設電源は電源条件が必ずしも良いとは限らないため、仮設電源を利用した検査器具による工事中の配線検査や竣工検査時に検査器が誤動作して正確なデータを確保できないといった問題がある。また、このような不具合を解消するために、事前に仮設電源の電圧をテスターや測定器で測定する場合には、測定に手間がかかると共に、測定器を持ち運ばなければならず煩わしいといった問題がある。
また、特許文献１に開示されている従来技術は、複数台の電源ユニットから構成される電源装置の立ち上げ時や増設時などにおいて、電源装置の余裕度を確認するために、各電源ユニットごとに表示ユニットを接続して行なっている。しかし、表示ユニットを各電源ユニット単位に揃えなければならず、コスト的に高価であり、装置が大型化するといった問題がある。
また、特許文献２に開示されている従来技術は、プラグに表示用のＬＥＤを備えなければならないためプラグが特殊となり、しかもシステム側からＬＥＤ点灯のための配線も余分に必要となるため、汎用性に乏しいといった問題がある。
本発明は、入力交流電源の電圧に応じて発光する発光手段を検査器具の電源プラグに備えることにより、仮設電源から検査器具へ電力を供給したときの仮設電源の電源状態を即座に把握することができる電圧表示器を提供することを目的とする。
また他の目的は、入力交流電源の電圧に応じて発光する発光手段と検査器具の電源プラグを接続するアウトレットをアダプタに備えることにより、汎用の電源プラグを使用可能とすることである。
また他の目的は、アダプタに異常電圧を検出してアウトレットの回路を切断するリレーを更に備えることにより、異常電圧から検査器具を保護することである。
【課題を解決するための手段】
【０００４】
本発明はかかる課題を解決するために、請求項１は、交流電源端子に接続された交流電源のレベルを表示する電圧表示器であって、前記交流電源端子と接続される電源入力端子と、該電源入力端子から入力した交流電圧を整流する整流手段と、該整流手段により生成された直流電圧が所定の電圧値を超過したときに通電状態となるツェナー回路と、前記直流電圧を電源として前記ツェナー回路が通電することにより発光する発光手段と、前記電源入力端子、整流手段、ツェナー回路及び発光手段を保持する本体プラグと、を備え、前記ツェナー回路のツェナー電圧は、前記交流電圧のレベルに応じて前記発光手段を個別に点灯又は滅灯するように設定されていることを特徴とする。
本発明のプラグは、本体プラグに表示用の発光手段を備え、そのプラグを交流電源端子に挿入することにより発光手段により電圧レベルを表示するものである。即ち、プラグは、電源入力端子と、交流を整流して直流を生成する整流手段と、生成された直流を電源として発光する発光手段と、所定の交流電圧に閾値を設定したツェナー回路とから構成されている。従って、例えば閾値を１００Ｖに設定しておけば、１００Ｖ以上で発光手段が発光し、それ以下の電圧では発光しないため、交流電源端子の電圧が１００Ｖ以上であることを目視で確認することができる。
請求項２は、前記発光手段は発光ダイオードにより構成され、前記プラグ外面の視認可能な位置に配設されていることを特徴とする。
発光手段はプラグ外面に備えるため、極力小型で発光効率が高いほうが好ましい。その点では、発光ダイオードは最適である。そして発光ダイオードはプラグの視認可能な位置に配設される。
請求項３は、交流電源端子に接続された交流電源のレベルを表示する電圧表示器であって、前記交流電源端子と接続される電源入力端子と、該電源入力端子から入力した交流電圧を整流する整流手段と、該整流手段により生成された直流電圧が所定の電圧値を超過したときに通電状態となるツェナー回路と、前記直流電圧を電源として前記ツェナー回路が通電することにより発光する発光手段と、前記交流電圧をそのまま出力するアウトレットと、前記電源入力端子、整流手段、ツェナー回路、発光手段及びアウトレットを保持する本体部と、を備え、前記ツェナー回路のツェナー電圧は、前記交流電圧のレベルに応じて前記発光手段を個別に点灯又は滅灯するように設定されていることを特徴とする。
本発明はプラグとは独立した本体部（アダプタ）に各構成要素を備えたものである。特に本発明では、外部からプラグを挿入できるようにするために、アウトレットを備えた点が請求項１とは異なる点である。
【０００５】
請求項４は、交流電源端子に接続された交流電源のレベルを表示する電圧表示器であって、前記交流電源端子と接続される電源入力端子と、該電源入力端子から入力した交流電圧を整流する整流手段と、該整流手段により生成された直流電圧が所定の電圧値を超過したときに通電状態となるツェナー回路と、前記直流電圧を電源として前記ツェナー回路が通電することにより発光する発光手段と、前記電源入力端子、整流手段、ツェナー回路及び発光手段を保持する本体部と、を備え、前記ツェナー回路のツェナー電圧は、前記交流電圧のレベルに応じて前記発光手段を個別に点灯又は滅灯するように設定されていることを特徴とする。
本発明は請求項３の本体部（アダプタ）からアウトレットを削除したものである。これは、使用する交流電源端子の電圧がどのような状態であるかを予め表示させて確認するために使用するものである。
請求項５は、交流電源端子に接続された交流電源のレベルを表示する電圧表示器であって、前記交流電源端子接続される電源入力端子と、該電源入力端子から入力した交流電圧を整流する整流手段と、該整流手段により生成された直流電圧が所定の電圧値を超過したときに通電状態となるツェナー回路と、前記直流電圧を電源として前記ツェナー回路が通電することにより発光する発光手段と、前記交流電圧をそのまま出力するアウトレットと、前記アウトレット回路の一部又は全部を断接するリレーと、前記電源入力端子、整流手段、ツェナー回路、発光手段、アウトレット及びリレーを保持する本体部と、を備え、前記ツェナー回路のツェナー電圧は、前記入力交流電圧のレベルに応じて前記発光手段を個別に点灯又は滅灯するように設定されていると共に、前記所定の電圧値を大幅に超過する異常電圧が発生したときに前記リレーを動作させることを特徴とする。
本発明は電圧表示器を誤って２００Ｖ等の高圧端子に挿入した場合、検査器の破損を防止するものである。即ち、アウトレットの回路に直列にリレー接点を挿入しておき、通常電圧の場合はリレーが動作しないようにしておき、高電圧が入力された場合にのみリレーが動作して、アウトレットの回路を遮断する。これにより、検査器を異常電圧から保護することができる。
請求項６は、前記発光手段は発光ダイオードにより構成され、前記本体部の視認可能な位置に配設されていることを特徴とする。
発光手段はプラグ内に備えるため、極力小型で発光効率が高いほうが好ましい。その点では、発光ダイオードは最適である。そして発光ダイオードは本体部の視認可能な位置に配設される。
【０００６】
請求項７は、前記発光手段の近傍に前記交流電圧の電圧値を表示する表示部を備えたことを特徴とする。
また発光手段の近傍に電圧値を表示しておくことにより、発光手段が発光した場合に交流入力端子の電圧が略何ボルトあるかが推測できる。
請求項８は、前記発光手段の近傍に前記交流電圧の電圧レベルを表示する表示部を備えたことを特徴とする。
また発光手段の近傍に電圧レベル（例えば、高、中、低等）を表示しておくことにより、発光手段が発光した場合に交流入力端子の電圧がどのレベルであるかが推測できる。
請求項９は、前記発光手段が複数配設されている場合、発光する発光手段の電圧値若しくは電圧レベルを表示する低い発光手段は、前記発光する発光手段と併せて発光するように構成したことを特徴とする。
回路構成を小型化するために、回路は可能な限り単純化する必要がある。そこで本発明では、発光手段が複数配設されている場合、点灯している発光手段の電圧より低い電圧レベルを表示する発光手段がある場合は、それらも同時に点灯するものである。即ち、最も高い電圧の発光手段が点灯した場合は、それ以下の電圧で点灯する発光手段も同時に点灯させるものである。
【発明の効果】
【０００７】
請求項１の発明によれば、本体プラグに表示用の発光手段を備え、そのプラグを交流電源端子に挿入することにより発光手段により電圧レベルを表示するので、テスター等の測定器を必要とせず、容易に交流入力電源の電圧状況を確認することができる。
また請求項２では、発光手段は発光ダイオードにより構成され、プラグの視認可能な位置に配設されているので、プラグを小型に構成でき、且つ表示が見易く構成することができる。
また請求項３では、プラグとは独立した本体部（アダプタ）に各構成要素を備えたので、検査器のプラグとして汎用的なプラグが使用でき、且つ表示が見易く構成することができる。
また請求項４では、本体部（アダプタ）からアウトレットを削除したので、更に安価な電圧表示器を構成することができる。
また請求項５では、アウトレットの回路に直列にリレー接点を挿入しておき、通常電圧の場合はリレーが動作しないようにしておき、高電圧が入力された場合にのみリレーが動作して、アウトレットの回路を遮断するので、異常電圧から検査器を保護することができる。
また請求項６では、発光手段は発光ダイオードにより構成され、本体部の視認可能な位置に配設されているので、本体部を小型に構成でき、且つ表示が見易く構成することができる。
また請求項７では、発光手段の近傍に交流電圧の電圧値を表示する表示部を備えるので、発光手段が発光した場合に交流入力端子の電圧が略何ボルトあるかが推測できる。
また請求項８では、発光手段の近傍に交流電圧の電圧レベルを表示する表示部を備えるので、発光手段が発光した場合に交流入力端子の電圧がどのレベルであるかが推測できる。
また請求項９では、発光手段が複数配設されている場合、点灯している発光手段の電圧を表示する低い電圧の発光手段がある場合は、それらも同時に点灯する回路構成とするので、回路が単純化されてコストが安価となる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る電圧表示器の外観構成図である。この電圧表示器１００は、図示しない交流電源端子との接続を行なう電源入力端子３と、交流電源端子の電圧に基づいて発光する３つのＬＥＤ群（発光手段）４と、本体プラグ２と、電源ケーブル１と、を備えて構成される。尚、図示は省略するが、本体プラグ２内に電圧を検出してＬＥＤ群４を発光する回路が含まれている（詳細は後述する）。このように本体プラグ２に表示用のＬＥＤ群４を備え、その本体プラグ２の電源入力端子３を交流電源端子に挿入することによりＬＥＤ群４により電圧レベルを表示するものである。この例ではＬＥＤ群４としてＬＥＤを３つ備え、最も高い電圧を「Ｈ」と表示し、次に「Ｍ」最も低い電圧を「Ｌ」として表示してある。尚、表示のレベルはこれよりも多くても少なくても構わない。また、表示方法はこれ以外に電圧値で表示するようにしても良い。
図２は本発明の第１の実施形態に係る電圧表示器の内部回路構成を示す図である。同じ構成要素には図１と同じ参照番号を付して説明する。この電圧表示器１００は、交流電源端子との接続を行なう電源入力端子３と、電源入力端子３から入力した交流電流を抑制する抵抗器Ｒａと、抵抗器Ｒａを介して入力した交流電圧を全波整流するダイオードブリッジ（ＤＢ）（整流手段）と、ＤＢにより生成された直流電流を抑制する抵抗器Ｒｂと、ＤＢにより生成された直流電圧が所定の電圧値を超過したときに回路が通電状態となるツェナー回路群５と、直流電圧を電源としてツェナー回路群５が通電することにより発光するＬＥＤ群（発光手段）４と、電源入力端子３、ＤＢ、ツェナー回路群５及びＬＥＤ群４を保持する本体プラグ２と、電源ケーブル１とを備えて構成されている。尚、この例では、ＬＥＤ群４としてＬＥＤをＨ、Ｍ、Ｌ３つ備え、ツェナー回路群５として各ＬＥＤに対応してＺＤｈ、ＺＤｍ、ＺＤｌを備えている。
【０００９】
次に本実施形態の概略動作について説明する。電源入力端子３が交流電源端子に挿入されると、電源ケーブル１にはそのままの交流電圧が伝達される。それと同時に、交流電圧は抵抗器Ｒａを介してＤＢにより全波整流されて直流となり、抵抗器Ｒｂを介してＬＥＤ群４に供給される。ここで例としてＺＤｈが１００Ｖ以上で通電するツェナー電圧であり、ＺＤｍが９５Ｖ以上で通電するツェナー電圧であり、ＺＤｌが９０Ｖ以上で通電するツェナー電圧であるとする。そして現状の交流電圧が９６Ｖであると仮定すると、ＺＤｈはツェナー電圧以下であるのでＬＥＤ「Ｈ」には電流が流れないため、ＬＥＤ「Ｈ」は発光しない。しかし、ＺＤｍとＺＤｌはツェナー電圧以上であるので、ＬＥＤ「Ｍ」とＬＥＤ「Ｌ」は発光する。これにより交流電源端子の電圧は少なくとも９５Ｖ以上であることが確認できる。
図３（ａ）は本発明の第２の実施形態に係る電圧表示器の外観構成図である。図３（ｂ）はアウトレット側から見た側面図である。この電圧表示器１１０は、図示しない交流電源端子との接続を行なう電源入力端子１０と、交流電源端子の電圧に基づいて発光する３つのＬＥＤ群（発光手段）１１と、本体部９と、アウトレット８と、を備えて構成される。尚、図示は省略するが、本体部９内に電圧を検出してＬＥＤ群１１を発光する回路が含まれている（詳細は後述する）。このように本体部９にアウトレット８と表示用のＬＥＤ群１１を備え、その本体部９の電源入力端子１０を交流電源端子に挿入することによりＬＥＤ群１１により電圧レベルを表示すると共に、アウトレット８の挿入口８ａ（図３（ｂ）参照）に検査器のプラグ６を挿入するものである。この例ではＬＥＤ群１１としてＬＥＤを３つ備え、最も高い電圧を「Ｈ」と表示し、次に「Ｍ」最も低い電圧を「Ｌ」として表示してある。尚、表示のレベルはこれよりも多くても少なくても構わない。例えば、一つの基準値を設定し、この基準値を下回るか、上回るかを一つのＬＥＤによって表示するようにすれば、回路構成、装置構成を単純化することができる。また、表示方法はこれ以外に電圧値で表示するようにしても良い。
【００１０】
図４は本発明の第２の実施形態に係る電圧表示器の内部回路構成を示す図である。同じ構成要素には図３と同じ参照番号を付して説明する。この電圧表示器１１０は、交流電源端子との接続を行なう電源入力端子１０と、電源入力端子１０から入力した交流電圧をそのまま出力するアウトレット８と、電源入力端子１０から入力した交流電流を抑制する抵抗器Ｒａと、抵抗器Ｒａを介して入力した交流電圧を全波整流するダイオードブリッジ（ＤＢ）（整流手段）と、ＤＢにより生成された直流電流を抑制する抵抗器Ｒｂと、ＤＢにより生成された直流電圧が所定の電圧値を超過したときに回路が通電状態となるツェナー回路群１２と、直流電圧を電源としてツェナー回路群１２が通電することにより発光するＬＥＤ群（発光手段）１１と、電源入力端子１０、ＤＢ、ツェナー回路群１２、ＬＥＤ群１１及びアウトレット８を保持する本体プラグ９と、を備えて構成されている。尚、この例では、ＬＥＤ群１１としてＬＥＤをＨ、Ｍ、Ｌ３つ備え、ツェナー回路群１２として各ＬＥＤに対応してＺＤｈ、ＺＤｍ、ＺＤｌを備えている。
尚、本実施形態の概略動作は図２の第１の実施形態と同様であるので説明を省略する。図２の第１の実施形態と異なる点は、電源ケーブル１の代わりにアウトレット８を備え、それらを一体構成としてアダプタとしたことである。これにより、アウトレット８に検査器を接続しない状態で交流電源端子に接続することにより、無負荷での交流電源端子の電圧を検査することができ、アウトレット８に検査器を接続した状態で交流電源端子に接続することにより、有負荷での交流電源端子の電圧を検査することができる。尚、本実施形態ではアウトレット８を備えて検査器を接続可能な形態としたが、アウトレット８を備えないで交流電源端子の電圧を検査するだけの機能を備えた電圧表示器としても良い。
【００１１】
図５は変動する交流電源端子の電圧を模式的に示した図である。交流電圧は基準線２２に対して極性がプラス「＋」方向とマイナス「−」方向に所定の周期で変動する交番電圧２１である。もし電圧の変動がなければ交番電圧２１の各ピーク値を結んだ抱絡線２０は一定であるが、電圧に変動があると図５のように抱絡線２０も変動する。
図６は図５の交流電源端子の電圧をＤＢにより全波整流した電圧を模式的に示した図である。この図では説明を簡略化するために、変動幅を誇張して描いている。全波整流は、交番電圧のプラス「＋」方向とマイナス「−」方向の全ての電圧をプラス「＋」方向に変換するものである。その結果、図６のように全波がプラス「＋」方向、つまり直流となり、その変動に応じて抱絡線２５が発生する。例えば、図２、図４のＰ点の電圧が図６に示す全波整流電圧となる。ここでツェナーダイオードＺＤｈ、ＺＤｍ、ＺＤｌのツェナー電圧を夫々ＶＨ、ＶＭ、ＶＬとすると、ＶＨは抱絡線２５をＣ、Ｄで横切り、ＶＭは抱絡線２５をＢ、Ｅで横切り、ＶＬは抱絡線２５をＡ、Ｆ、Ｇで横切ることになる。その結果、ＬＥＤ群Ｈ、Ｍ、Ｌは図の「ＯＮ」タイミングで発光する。
図７はＬＥＤ群とツェナー電圧の関係を表にした図である。○印は点灯を表し、×印は滅灯を表す。この図から分かるとおり、本実施形態の回路構成では、ツェナー電圧がＶＨのときはＬＥＤ群Ｈ、Ｍ、Ｌは全て発光し、ツェナー電圧がＶＭのときはＬＥＤ群Ｈは滅灯し、Ｍ、Ｌは発光し、ツェナー電圧がＶＬのときはＬＥＤ群Ｈ、Ｍは滅灯しＬは発光する。この状態は図６の発光タイミングを見れば明らかである。尚、本実施形態に示した回路構成は一例に過ぎず、各電圧毎に対応したＬＥＤのみが発光する回路構成でも構わない。
【００１２】
図８（ａ）は本発明の第３の実施形態に係る電圧表示器の外観構成図である。図８（ｂ）はアウトレット側から見た側面図である。この電圧表示器１２０は、図示しない交流電源端子との接続を行なう電源入力端子３１と、交流電源端子の電圧に基づいて発光する４つのＬＥＤ群（発光手段）３３と、本体部３０と、アウトレット３２と、を備えて構成される。尚、図示は省略するが、本体部３０内に電圧を検出してＬＥＤ群３３を発光する回路と、アウトレット３２の回路を断接するリレーが含まれている（詳細は後述する）。このように本体部３０にアウトレット３２、表示用のＬＥＤ群３３及び図示しないリレーを備え、その本体部３０の電源入力端子３１を交流電源端子に挿入することによりＬＥＤ群３３により電圧レベルを表示すると共に、アウトレット３２の挿入口３２ａ（図８（ｂ）参照）に検査器のプラグ６を挿入するものである。この例ではＬＥＤ群３３としてＬＥＤを４つ備え、最も高い電圧を「Ｈ」と表示し、次に「Ｍ」最も低い電圧を「Ｌ」とし、異常電圧を「ＨＨ」として表示してある。尚、表示のレベルはこれよりも多くても少なくても構わない。また、表示方法はこれ以外に電圧値で表示するようにしても良い。
図９は本発明の第３の実施形態に係る電圧表示器の内部回路構成を示す図である。同じ構成要素には図８と同じ参照番号を付して説明する。この電圧表示器１２０は、交流電源端子との接続を行なう電源入力端子３１と、電源入力端子３１から入力した交流電圧をそのまま出力するアウトレット３２と、電源入力端子３１から入力した交流電流を抑制する抵抗器Ｒａと、抵抗器Ｒａを介して入力した交流電圧を全波整流するダイオードブリッジ（ＤＢ）（整流手段）と、ＤＢにより生成された直流電流を抑制する抵抗器Ｒｂと、ＤＢにより生成された直流電圧が所定の電圧値を超過したときに回路が通電状態となるツェナー回路群３４と、直流電圧を電源としてツェナー回路群３４が通電することにより発光するＬＥＤ群（発光手段）３３と、異常電圧を検出するリレーＲＬＨＨと、電源入力端子３１、ＤＢ、ツェナー回路群３４、ＬＥＤ群３３、アウトレット３２及びリレーＲＬＨＨを保持する本体プラグ３０と、を備えて構成されている。尚、この例では、ＬＥＤ群３３としてＬＥＤをＨ、Ｍ、Ｌ、ＨＨとし、ツェナー回路群３４として各ＬＥＤに対応してＺＤｈ、ＺＤｍ、ＺＤｌ、ＺＤｈｈを備えている。尚、図４の第２の実施形態と異なる点は、異常電圧を検出するリレーＲＬＨＨを備え、アウトレット３２の回路の一部を断接するためにリレーＲＬＨＨの接点ｈｈを回路に直列に挿入し、それらを一体構成としてアダプタとしたことである。
【００１３】
次に本実施形態の概略動作について説明する。電源入力端子３１が交流電源端子に挿入されると、アウトレット３２にはそのままの交流電圧が伝達される。それと同時に、交流電圧は抵抗器Ｒａを介してＤＢにより全波整流されて直流となり、抵抗器Ｒｂを介してＬＥＤ群３３に供給される。ここで例としてＺＤｈが１００Ｖ以上で通電するツェナー電圧であり、ＺＤｍが９５Ｖ以上で通電するツェナー電圧であり、ＺＤｌが９０Ｖ以上で通電するツェナー電圧であり、ＺＤｈｈが２００Ｖ以上で通電するツェナー電圧であるとする。そして現状の交流電圧が９６Ｖであると仮定すると、ＺＤｈ、ＺＤｈｈはツェナー電圧以下であるのでＬＥＤ「Ｈ」、「ＨＨ」には電流が流れないため、ＬＥＤ「Ｈ」、「ＨＨ」は発光しない。しかし、ＺＤｍとＺＤｌはツェナー電圧以上であるので、ＬＥＤ「Ｍ」とＬＥＤ「Ｌ」は発光する。これにより交流電源端子の電圧は少なくとも９５Ｖ以上であることが確認できる。この状態ではリレーＲＬＨＨは動作していないので、接点ｈｈは接続されたままである。ここで、操作者が誤って２００Ｖの交流電源端子に挿入したとすると、ＺＤｈｈはツェナー電圧以上であるので、ＬＥＤ「ＨＨ」が発光すると共に、リレーＲＬＨＨが動作する。これにより接点ｈｈは開放されアウトレット３２の回路には電源入力端子３１から供給された電圧は遮断される。尚、本実施回路ではリレーＲＬＨＨが２００Ｖに設定されているので、他の回路はこの電圧に耐える耐圧を有するものとする。また、耐圧を下げるために、リレーＲＬＨＨの動作電圧を他の回路の耐圧電圧近傍に設定するようにしても良い。
図１０は図９の交流電源端子の電圧をＤＢにより全波整流した電圧の抱絡線を模式的に示した図である。この図では説明を簡略化するために、変動幅を誇張して描いている。ここでツェナーダイオードＺＤｈ、ＺＤｍ、ＺＤｌ、ＺＤｈｈのツェナー電圧を夫々ＶＨ、ＶＭ、ＶＬ、ＶＨＨとすると、ＶＨは抱絡線３５をＢ、Ｃで横切り、ＶＭは抱絡線３５をＡ、Ｄで横切り、ＶＬは抱絡線３５をＥ、Ｆで横切り、ＶＨＨは抱絡線３５をＧで横切ることになる。その結果、ＬＥＤ群Ｈ、Ｍ、Ｌ、ＨＨは図の「ＯＮ」タイミングで発光する。またＬＥＤ群ＨＨの発光と同時にリレーＲＬＨＨが動作する。
【００１４】
以上の通り本発明によれば、本体プラグ２に表示用のＬＥＤ群４を備え、その本体プラグ２を交流電源端子に挿入することによりＬＥＤ群４により電圧レベルを表示するので、テスター等の測定器を必要とせず、容易に交流入力電源の電圧状況を確認することができる。
また、ＬＥＤ群４は発光ダイオードにより構成され、本体プラグ２の視認可能な位置に配設されているので、本体プラグ２を小型に構成でき、且つ表示が見易く構成することができる。
また、本体プラグ２とは独立した本体部９に各構成要素を備えたので、検査器のプラグとして汎用的なプラグが使用でき、且つ表示が見易く構成することができる。
また、本体部９からアウトレット８を削除したので、更に安価な電圧表示器を構成することができる。
また、アウトレット３２の回路に直列にリレー接点ｈｈを挿入しておき、通常電圧の場合はリレーＲＬＨＨが動作しないようにしておき、高電圧が入力された場合にのみリレーＲＬＨＨが動作して、アウトレット３２の回路を遮断するので、異常電圧から検査器を保護することができる。
また、ＬＥＤ群４、１１、３３は発光ダイオードにより構成され、本体部２、９、３０の視認可能な位置に配設されているので、本体部２、９、３０を小型に構成でき、且つ表示が見易く構成することができる。
また、ＬＥＤ群４、１１、３３の近傍に交流電圧の電圧値を表示する表示部を備えるので、ＬＥＤ群４、１１、３３が発光した場合に交流入力端子の電圧が略何ボルトあるかが推測できる。
また、ＬＥＤ群４、１１、３３の近傍に交流電圧の電圧レベルを表示する表示部を備えるので、ＬＥＤ群４、１１、３３が発光した場合に交流入力端子の電圧がどのレベルであるかが推測できる。
また、ＬＥＤが複数配設されている場合、点灯しているＬＥＤの電圧より低い電圧のＬＥＤがある場合は、それらも同時に点灯する回路構成とするので、回路が単純化されてコストが安価となる。
【図面の簡単な説明】
【００１５】
【図１】本発明の第１の実施形態に係る電圧表示器の外観構成図である。
【図２】本発明の第１の実施形態に係る電圧表示器の内部回路構成を示す図である。
【図３】本発明の第２の実施形態に係る電圧表示器の外観構成図である。
【図４】本発明の第２の実施形態に係る電圧表示器の内部回路構成を示す図である。
【図５】変動する交流電源端子の電圧を模式的に示した図である。
【図６】図５の交流電源端子の電圧をＤＢにより全波整流した電圧を模式的に示した図である。
【図７】ＬＥＤ群とツェナー電圧の関係を表にした図である。
【図８】本発明の第３の実施形態に係る電圧表示器の外観構成図である。
【図９】本発明の第３の実施形態に係る電圧表示器の内部回路構成を示す図である。
【図１０】図９の交流電源端子の電圧をＤＢにより全波整流した電圧の抱絡線を模式的に示した図である。
【符号の説明】
【００１６】
１  電源ケーブル、２  本体プラグ、３  電源入力端子、４  ＬＥＤ群、５  ツェナー回路群、Ｒａ、Ｒｂ  抵抗器、ＤＢ  ダイオードブリッジ、１００  電圧表示器
【図１】
2007109483.tif 000003
【図２】
2007109483.tif 000004
【図３】
2007109483.tif 000005
【図４】
2007109483.tif 000006
【図５】
2007109483.tif 000007
【図６】
2007109483.tif 000008
【図７】
2007109483.tif 000009
【図８】
2007109483.tif 000010
【図９】
2007109483.tif 000011
【図１０】
2007109483.tif 000012